(57)【特許請求の範囲】
【請求項１】
調理室を形成し、貫通孔が形成された後板を有する本体キャビネットを備えた電子レンジ用の懸垂装置において、
前記電子レンジの設置壁面に固定される板状の支持プレートと、
前記支持プレートの板面から前記後板の貫通孔を通して前記本体キャビネットを向いて突出たフック係止部と、
一側端部が前記本体キャビネットに固定され、他側端部が前記フック係止部から係止解除される第１位置と他側端部が前記フック係止部に係止される第２位置との間で弾性変形可能な板スプリングと、
前記板スプリングに連結されて前記板スプリングを前記第１位置から前記第２位置に弾性変形させる伝達部材とを含むことを特徴とする電子レンジ用の懸垂装置。
【請求項２】
前記板スプリングの板面には長孔が形成されており、前記フック係止部は、前記長孔に挿入されることを特徴とする請求項１に記載の電子レンジ用の懸垂装置。
【請求項３】
前記伝達部材は、前記電子レンジを横切る長い棒状の軸部と、前記軸部の端部から折曲げされた折曲げ部とを有することを特徴とする請求項１又は請求項２に記載の電子レンジ用の懸垂装置。
【請求項４】
前記折曲げ部は前記本体キャビネットの前方に係合されることを特徴とする請求項３に記載の電子レンジ用の懸垂装置。
【請求項５】
前記支持プレートはその下端部から突出て前記電子レンジの下部を支持する少なくとも一つの係止片を含むことを特徴とする請求項１又は請求項２に記載の電子レンジ用の懸垂装置。
【請求項６】
前記本体キャビネットの底部に備えられて前記係止片に係合される係合部をさらに含むことを特徴とする請求項５に記載の電子レンジ用の懸垂装置。
【発明の詳細な説明】
【０００１】
【発明の属する技術分野】
本発明は電子レンジ用の懸垂装置に係り、より詳細には、調理室を形成し、貫通孔が形成された後板を有する本体キャビネットと、本体キャビネットの外観を形成する外部ケーシングとを備えた電子レンジ用の懸垂装置に関する。
【０００２】
【従来の技術】
一般に、電子レンジはマグネトロンから発生するマイクロ波により食べ物を調理する家電機器であって、主に流し台の上面又は棚の収容空間に設けられる。しかしながら、使用者の便宜、室内空間及びインテリアなどを鑑みて電子レンジを流し台上の棚の下端に懸垂結合する場合もあるが、これを‘壁掛け型の電子レンジ’という。
【０００３】
図５は従来の壁掛け型の電子レンジの要部拡大図である。示したように、従来の壁掛け型の電子レンジは棚に懸垂結合される前に板状で形成されて壁面に固定された支持プレート１１６に臨時に設けられる。電子レンジを臨時に設けることは、比較的重い電子レンジを持ち上げている状態で棚の下端に懸垂結合させることが容易でないからである。支持プレート１１６に電子レンジを臨時に設けると、懸垂結合が容易になる。
【０００４】
支持プレート１１６の下側には少なくとも一対の係止片（図示せず）が備えられている。係止片から上側に離隔された位置には、図６に示したように、本体キャビネット１２１に形成された貫通孔１３５に挿入して本体キャビネット１２１と外部ケーシング（図示せず）との間に配置されるフック係止部１１８が備えられている。フック係止部１１８は支持プレート１１６の板面から突出形成された延長部１１９と、延長部１１９の端部から下向き折曲げされたフック部１２０とを有する。
【０００５】
従来の電子レンジは、調理室１２２及び部品室１２７を備え、後板１３３を貫通する貫通孔１３５が形成された本体キャビネット１２１と、本体キャビネット１２１を取り囲んで電子レンジの外観を形成する外部ケーシング（図示せず）とを有する。
【０００６】
電子レンジを懸垂結合するための懸垂装置の構成は次の通りである。図６に示したように、懸垂装置は本体キャビネット１２１の底部に備えられて支持プレート１１６の係止片に係合される係合部（図示せず）と、本体キャビネット１２１の後板１３３に形成された貫通孔１３５に隣接設置される補鋼部材１４８と、補鋼部材１４８の板面に結合される回動部材１５１と、回動部材１５１を作動させる伝達部材１５３とを有する。
【０００７】
補鋼部材１４８は、後板１３３に設けられて後板１３３の貫通孔１３５との連通開口を有する平坦部１４９と、平坦部１４９に対して横方向に折曲げされた折曲げ部１５０とを有する。回動部材１５１は一端のヒンジ部１５７により補鋼部材１４８の折曲げ部１５０の板面にヒンジ結合され、他端がヒンジ部１５７から離隔された位置に備えられた補鋼部材１４８の固定点１５４にコイルスプリング１５５により結合される。回動部材１５１はフック係止部１１８のフック部１２０に係合される係合部１５８を有する。また、回動部材１５１は長い棒状の伝達部材１５３に連結されており、伝達部材１５３は本体キャビネット１２１と外部ケーシングとの間に配置される。
【０００８】
このような構成により、従来の電子レンジを支持プレート１１６に臨時に設ける方法を説明すると次の通りである。
先ず、電子レンジの設置壁面に支持プレート１１６を固定する。その後、本体キャビネット１２１の下端に形成された係合部が支持プレート１１６の係止片に係合されるように電子レンジを持ち上げる。電子レンジの係合部が支持プレート１１６の係止片に係合されると、電子レンジは係合部及び係止片に対して上下に回動することができる。
【０００９】
グリル部材（図示せず）を電子レンジから離脱させた後、電子レンジを支持プレート１１６を向いて回動させながら、伝達部材１５３を前方に引張る。伝達部材１５３を前方に引張ると、コイルスプリング１５５が伸び、回動部材１５１は所定の角度で回転する。電子レンジを支持プレート１１６の板面に完全に加圧した後、伝達部材１５３を解除すると、コイルスプリング１５５は収縮しながら、回動部材１５１が反対方向に回動する。こりにより、回動部材１５１の係止部１５８はフック係止部１１８のフック部１２０に係合される。
【００１０】
このように壁面固定の支持プレート１１６に電子レンジを臨時に設けた後、作業者はボルトなどを用いて棚に外部ケーシングを締結することにより、電子レンジの懸垂作業を終了する。
【００１１】
しかしながら、上述した従来の電子レンジ用の懸垂装置においては、図６に示したように、電子レンジを支持プレートに臨時設置するための構造が非常に複雑であり、その組立て作業も容易でなく、高コスト化をもたらすという問題点がある。
【００１２】
また、フック係止部１１８の延長部１１９の長さが短くて回動部材１５１の係止部１５８の流動空間を狭くする。このような問題点を解決するため、フック係止部１１８の延長部１１９の長さを伸ばすと、回動部材１５１の係止部１５８とフック係止部１１８の延長部１１９との結合強度が弱くなる。これにより、電子レンジを棚に懸垂結合する作業において、電子レンジが支持プレートから離脱されるおそれがある。
【００１３】
【発明が解決しようとする課題】
本発明の目的は、簡単な構造により低コスト化を達成しながら、電子レンジを支持プレートに臨時に設置可能にした電子レンジ用の懸垂装置を提供することにある。
【００１４】
【課題を解決するための手段】
本発明は、前記課題を解決するため、調理室を形成し、貫通孔が形成された後板を有する本体キャビネットを備えた電子レンジ用の懸垂装置において、前記電子レンジの設置壁面に固定される板状の支持プレートと、前記支持プレートの板面から前記後板の貫通孔を通して前記本体キャビネットを向いて突出たフック係止部と、一側端部で前記本体キャビネットに固定され、前記フック係止部から係止解除される第１位置と他側端部で前記フック係止部に係止される第２位置との間で弾性変形可能な板スプリングと、前記電子レンジと前記板スプリングとの間に連結されて前記板スプリングを前記第１位置から前記第２位置に弾性変形させる伝達部材とを含むことを特徴とする。
【００１５】
ここで、前記板スプリングの板面には長孔が形成されており、前記フック係止部は前記長孔に挿入される。
前記伝達部材は、前記電子レンジを横切る長い棒状の軸部と、前記軸部の端部から折曲げされた折曲げ部とを有する。その際、前記折曲げ部は前記本体キャビネットの前方に係合されることが好ましい。
【００１６】
前記支持プレートはその下端部から突出て前記電子レンジの下部を支持する少なくとも一つの係止片を含む。
前記本体キャビネットの底部に備えられて前記係止片に係合される係合部をさらに含むことが好ましい。
【００１７】
【発明の実施の形態】
以下、添付した図面を参照して本発明の実施形態を詳しく説明する。
図１は本発明による壁掛け型の電子レンジの設置状態図である。同図に示したように、台所には食べ物をつくるガスレンジ１４及び流し台１０が備えられている。流し台１０の上側には所定の収容空間の形成された棚１２が備えられている。ガスレンジ１４の上側には食べ物の調理時に発生する煙及び湿気を排出するための排気構造を備えた壁掛け型の電子レンジが設けられている。
【００１８】
このような壁掛け型の電子レンジは、棚１２の下端に懸垂結合される前に電子レンジの設置壁面に固定された板状の支持プレート１６に臨時に設けられる。
図２に示したように、壁面に設けられた支持プレート１６の下端には少なくとも一対の係止片１７が備えられている。支持プレート１６の上部には本体キャビネット２１の後板３３に形成された貫通孔３５に挿入されるフック係止部１８が備えられている。
【００１９】
フック係止部１８は、支持プレート１６の板面から横方向に突出て本体キャビネット２１の後板面３３に形成された貫通孔３５を通して本体キャビネット２１と外部ケーシング４０との間に配置される。フック係止部１８は支持プレート１６の板面から突出た延長部１９と、延長部１９の端部から上向き折曲げされたフック部２０とを有する。
【００２０】
壁掛け型の電子レンジは、調理室２２及び部品室２７を形成する本体キャビネット２１と、本体キャビネット２１を取り囲んで電子レンジの外観を形成する逆‘Ｕ’字形状の外部ケーシング４０と、調理室２２を開閉するドア２４とを有する。部品室２７内にはマグネトロン２８及び多数の部品（図示せず）が備えられており、部品室２７の前方には調理動作を選択するための多数の操作ボタン３０の備えられた操作パネル３１が設けられている。
【００２１】
本体キャビネット２１と外部ケーシング４０との間には空気流動のための空気流動路が形成されている。空気流動路の前方には調理中の食べ物から発生する湿気及び匂いを排出するためのグリル部材４１が本体キャビネット２１の水平方向に沿って長く設けられている。空気流動路の内部には、外部空気を本体キャビネット２１と外部ケーシング４０との間に吸入する吸入モータ４２と、吸入空気をグリル部材４１に案内する案内ダクト４３とが備えられている。本体キャビネット２１の底板面３７には調理物から発生する湿気及び煙を流入する多数の流入口３８が形成されている。
【００２２】
吸入モータ４２が作動すると、吸入モータ４２の吸入力により湿気及び煙は底板面３７に形成された流入口３８を通して流入された後、各案内ダクト４３により案内されてグリル部材４１を通して外部に排出される。
【００２３】
図３及び図４を参照して本発明による電子レンジ用の懸垂装置を説明する。電子レンジ用の懸垂装置は、底板面３７の後方辺部に形成されて支持プレート１６の係止片１７に係止される一対の係合部４７と、電子レンジの回動方向に応じて弾性変形可能な板スプリング４９と、板スプリング４９を作動させる伝達部材５３とを備える。
【００２４】
板スプリング４９の一側端部５０は本体キャビネット２１に固定され、他側自由端部５１はフック係止部１８から解除される第１位置と、フック係止部１８に係止される第２位置との間で弾性変形が可能である。板スプリング４９の板面には長孔５２が形成されており、長孔５２にはフック係止部１８が挿入される。
【００２５】
伝達部材５３は、本体キャビネット２１の上部と外部ケーシング４０との間で電子レンジを横切って配置される長い棒状の軸部５４と、軸部５４の端部から折曲げされた折曲げ部５５とを備える。折曲げ部５５はグリル部材４１の後方側に隣接配置され、本体キャビネット２１の前方に係止される。このような伝達部材５３は後端部で板スプリング４９の上側端部５１に連結されて板スプリング４９を係止維持及び係止解除させるように加圧される。
【００２６】
以下、本発明による壁掛け型の電子レンジを支持プレート１６に臨時に設置する方法を説明する。
先ず、電子レンジを持ち上げて本体キャビネット２１の底板３７に形成された一対の係合部４７が支持プレート１６に備えられた係止片１７に係止されるようにする。本体キャビネット２１の係合部４７が支持プレート１６の係止片１７に係止された状態で、電子レンジは相互結合された係合部４７及び係止片１７に対して上下に回動することができる。
【００２７】
次に、グリル部材４１を電子レンジから離脱させた後、電子レンジを加圧して支持プレート１６を向いて押しながら、伝達部材５３の折曲げ部５５を前方に引張る。伝達部材５３を前方に引張るにつれて、板スプリング４９の上側端部５１は本体キャビネット２１に固定された板スプリング４９の下側端部５０の前方に曲げられる（図３の点線表示）。
【００２８】
電子レンジを支持プレート１６の板面に完全に加圧した後、伝達部材５３を徐々に解除すると、板スプリング４９はもとの状態に復帰しながら、板スプリング４９の長孔５２にフック係止部１８が挿入される。
【００２９】
このように壁面固定の支持プレート１６に電子レンジを臨時に設置した後、作業者は棚１２を開放してボルトなどを用いて棚１２の外部ケーシング４０を締結することにより、電子レンジの懸垂結合作業を完了する。
上述したように、本発明では長孔５２を有する板スプリング４９を用いて支持プレート１６のフック係止部１８を係止させることにより、その構造が簡単になり、組立て作業も容易になる。
【００３０】
また、板スプリング４９に対するフック係止部１８の結合強度を一定に維持しながら、フック係止部１８の延長部１９の長さを伸ばすことができるため、板スプリング４９及び電子レンジの十分な回動範囲（図４の点線表示）を提供する。
このように電子レンジが臨時に設置された状態でも、広い回動範囲内で回動が可能なので、電子レンジを棚に懸垂結合する作業も容易に行える。
【００３１】
前記実施例とは異なり、板スプリングに長孔を形成しなくても、フック係止部に板スプリングを加圧及び解除することにより、回動範囲を制限することができる。
【００３２】
【発明の効果】
上述したように、本発明によれば、簡単な構造により低コスト化を達成しながらも、電子レンジを支持プレートに臨時に設置可能にした電子レンジ用の懸垂装置が提供される。
【図面の簡単な説明】
【図１】本発明による壁掛け型の電子レンジの設置状態図。
【図２】本発明による壁掛け型の電子レンジと支持プレートの分解斜視図。
【図３】図２の結合状態の要部拡大斜視図。
【図４】図２の電子レンジが支持プレートに結合される状態を示した断面図。
【図５】従来の電子レンジの要部拡大斜視図。
【図６】図５の‘Ａ’部分の拡大図。
【符号の説明】
１０    流し台
１２    棚
１６    支持プレート
１８    フック係止部
２１    本体キャビネット
３５    貫通孔
４１    グリル部材
４７    係合部
４９    板スプリング
５３    伝達部材
【図１】
0003618675.tif 000002
【図２】
0003618675.tif 000003
【図３】
0003618675.tif 000004
【図４】
0003618675.tif 000005
【図５】
0003618675.tif 000006
【図６】
0003618675.tif 000007